(57)【要約】      （修正有）【課題】箱体及び蓋体がいずれも硬質材料からなるスーツケースにおいて、開閉したり外部にポケットを設けたりすることなく、小物類の出し入れを可能とするスーツケースを提供する。【解決手段】硬質材料からなる殻状の箱体２と、当該箱体に開閉自在に連設した硬質材料からなる殻状の蓋体３とを備えたスーツケース１において、前記箱体と蓋体との間に軟質材料からなる所定幅寸法の襠部４を伸縮自在に設けるとともに、当該襠部に小物類の収納部８を設けた。前記収納部は、襠部に開口した小物類の出し入れ口９と、襠部の内側に設けられ前記出し入れ口を介して外部と連通可能とした袋体１０からなる。また、前記襠部は、ファスナー５，７，１１の開閉操作によって伸縮自在とし、収納部の不使用時には前記ファスナーを閉じて襠部を収縮させることによって収納部を覆い隠すようにした。【選択図】図３
0003173906.tif 000002
【実用新案登録請求の範囲】
【請求項１】
硬質材料からなる殻状の箱体と、当該箱体に開閉自在に連設した硬質材料からなる殻状の蓋体とを備えたスーツケースにおいて、前記箱体と蓋体との間に軟質材料からなる所定幅寸法の襠部を伸縮自在に設けるとともに、当該襠部に小物類を収納するための収納部を設けたことを特徴とするスーツケース。
【請求項２】
前記収納部は、襠部に開閉可能に開口した小物類の出し入れ口と、襠部の内側に設けられ前記出し入れ口を介して外部と連通可能とした袋体からなることを特徴とする請求項１に記載のスーツケース。
【請求項３】
前記襠部は、ファスナーの開閉操作によって伸縮自在とし、収納部の不使用時には前記ファスナーを閉じて襠部を収縮させることによって収納部を覆い隠すようにしたことを特徴とする請求項１または２に記載のスーツケース。
【考案の詳細な説明】
【技術分野】
【０００１】
本考案は、旅行等の際に衣服等の荷物を収納して持ち運ぶことが可能なスーツケースに関する。
【背景技術】
【０００２】
旅行等の際に衣服等の荷物を収納して持ち運ぶために使用するスーツケースは、一般に硬質の合成樹脂等からなる殻状の箱体と、同様に形成された蓋体とを開閉可能に連結することにより構成されており、前記箱体や蓋体の内部には、荷物を収納するための空間や小物類を収納可能なポケットが設けられている。しかしながら、前記スーツケースにおいては、小物類を収納可能なポケットが箱体や蓋体の内部にしか設けられておらず、しかも、前記箱体及び蓋体は硬質の合成樹脂等からなるので、外部から直接ポケットへ至る小物類の出し入れ口を設けることが難しい。このため、比較的使用頻度の高い小物類であっても、いちいちスーツケースを開閉して出し入れしなければならないため、手間が掛かり面倒であるばかりでなく、スーツケースは水平にした（横置きにした）状態で開閉しなければならないため、人混みでは場所をとり通行の妨げとなったり、スーツケースの中身を他人に見られたりするという問題があった。
【０００３】
このような問題を解決するために、例えば、特許文献１のようなスーツケースが開示されている。即ち、スーツケースを構成する箱体または蓋体の表面に桶形凹所を備え、この桶形凹所には、小物類を収納可能なポケットが基部プレートを介して固定されている。このように、特許文献１においては、スーツケースの外部に小物類を収納するためのポケットが設けられているので、スーツケースを開閉することなく小物類の出し入れを行うことが可能となる。
【先行技術文献】
【特許文献】
【０００４】
【特許文献１】特表２００６−５２５８２５号公報
【考案の概要】
【考案が解決しようとする課題】
【０００５】
然るに、特許文献１に記載のスーツケースにおいては、小物類をスーツケースの外部に設けたポケットに収納することができるという利点があるものの、ポケットは誰でもが容易に接触できる部位に設けられている（外部に露出している）ため、例えば、目を離した隙にポケットを勝手に開けられ、盗難被害に遭う可能性が皆無ではなかった。また、ポケットを固定するための凹所を箱体または蓋体表面に深絞り等の手段にて形成しなければならないため製造に手間が掛かり、コストが嵩むという問題もあった。更に、ポケットが外部に設けられていることや、前記ポケットを固定するための凹所の存在により、スーツケースのスマートな外観が損なわれ、見栄えが悪くなるという問題もあった。
【０００６】
本考案は前記の問題点に鑑み、箱体及び蓋体がいずれも硬質材料からなるスーツケースにおいて、スーツケースを開閉したり外部にポケットを設けたりすることなく、小物類の出し入れを容易に行えるようにすることを目的とする。
【課題を解決するための手段】
【０００７】
前記の課題を解決するために、本考案においては、硬質材料からなる殻状の箱体と、当該箱体に開閉自在に連設した硬質材料からなる殻状の蓋体とを備えたスーツケースにおいて、前記箱体と蓋体との間に軟質材料からなる所定幅寸法の襠部を伸縮自在に設けるとともに、当該襠部に小物類を収納するための収納部を設けた。
【０００８】
また、収納部は、襠部に開閉自在に開口した小物類の出し入れ口と、襠部の内側に設けられ前記出し入れ口を介して外部と連通可能とした袋体からなる。
【０００９】
更に、襠部は、ファスナーの開閉操作によって伸縮自在とし、収納部の不使用時には前記ファスナーを閉じて襠部を収縮させることによって収納部を覆い隠すようにした。
【考案の効果】
【００１０】
本考案によれば、スーツケースを構成する箱体と蓋体との間に、軟質材料からなる所定幅寸法の襠部を伸縮自在に設けるとともに、当該襠部に小物類を収納するための収納部を設けたので、前記収納部は、箱体または蓋体に凹所を設ける等の特別な加工を行うことなく、簡易に設けることができる。しかも、箱体または蓋体に凹所を設ける必要がないため、スーツケースの外観やデザイン性を損ねることもない。
【００１１】
また、収納部は、襠部に開閉自在に開口した小物類の出し入れ口と、襠部の内側に設けられ前記出し入れ口を介して外部と連通可能とした袋体からなるので、前記収納部はスーツケースの外部に膨出させることなく設けることが可能となり、この結果、スーツケースの外観やデザイン性を損なうことがない。しかも、小物類が収納される袋体自体は襠部の内側（即ち、スーツケース内）に設けられるものの、前記袋体と外部とを連通する出し入れ口を開放することにより、袋体への小物類の収納や、袋体からの小物類の取り出しを容易に行うことができるので、小物類の出し入れに際してスーツケースを開閉する必要が全くない。従って、人混みで小物類を出し入れするためにスーツケースを開閉することによって通行の妨げとなったり、スーツケースの中身を他人に見られたりするのを良好に防ぐことができる。
【００１２】
更に、襠部はファスナーの開閉操作によって伸縮自在となっており、収納部の不使用時には、前記ファスナーを閉じて襠部を収縮させることにより当該収納部を覆い隠すようにしたので、スーツケースの外観やデザイン性を損なうことがなく、また、収納部は外部から見えないため、防犯上の利点も有する。しかも、ファスナーを開放して襠部を伸長した状態で使用すれば、スーツケースの収納量を増大させることができるという利点もある。
【図面の簡単な説明】
【００１３】
【図１】本考案のスーツケースを示す正面斜視図である。
【図２】本考案のスーツケースを示す背面斜視図である。
【図３】図２のＡ−Ａ線における模式的な断面図である。
【図４】襠部を伸長した状態を示すスーツケースの正面斜視図である。
【図５】襠部を伸長した状態を示すスーツケースの背面斜視図である。
【図６】図５のＢ−Ｂ線における模式的な断面図である。
【図７】スーツケースを開いた状態で収納部付近を拡大して示す斜視図である。
【図８】襠部に設けた収納部の出し入れ口を開放した状態を示す拡大斜視図である。
【図９】図８のＣ−Ｃ線における模式的な断面図である。
【考案を実施するための形態】
【００１４】
以下、本考案を実施するための形態について、図１ないし図９を参照しながら説明する。図１は本考案のスーツケースを示す正面斜視図、図２は同じく背面斜視図、図３は図２のＡ−Ａ線における模式的な断面図である。図１ないし図３において、１は本考案のスーツケースである。２はスーツケース１の一方を構成する殻状の箱体、３はスーツケース１の他方を構成する殻状の蓋体であり、前記箱体２及び蓋体３はそれぞれ硬質材料（硬質の合成樹脂等）により形成されている。また、前記箱体２及び蓋体３の内部には、図３で示すように、衣服等の荷物を収納するための空間２ａ，３ａがそれぞれ凹設されている。図３において、４は箱体２と蓋体３との間に伸縮自在に設けた襠部であり、以下、前記襠部４について、図３ないし図６を参照しながら説明する。
【００１５】
図４は襠部を伸長した状態を示すスーツケースの正面斜視図、図５は同じく背面斜視図、図６は図５のＢ−Ｂ線における模式的な断面図である。図３ないし図６で示すように、襠部４は所定幅寸法の軟質材料（布、革、ゴム等）からなり、その幅方向における一方端は、例えば、蓋体３の開口部周縁に周知の固定手段を用いて固着されるとともに、襠部４の幅方向における他方端は、例えば、箱体２の開口部周縁にファスナー５を介して開閉自在に結合されている。また、襠部４は、ファスナー７の開閉操作によって伸縮自在となっており、前記ファスナー７を閉止することにより図３で示すように収縮し、ファスナー７を開放することにより図４ないし図６で示すように伸長する。更に、襠部４の幅方向における他方端と箱体２の開口部端縁とは、図５で示すように、その一側面において軟質材料（布、革、ゴム等）からなる接続体６により連結されており、前記ファスナー５を開放した際に、箱体２と蓋体３とが分離するのを阻止している。図５，６において、８は襠部４に設けた小物類の収納部であり、以下、前記収納部８について、図７ないし図９を参照しながら説明する。
【００１６】
図７はスーツケースを開いた状態で収納部付近を拡大して示す斜視図、図８は収納部の出し入れ口を開放した状態を示す拡大斜視図、図９は図８のＣ−Ｃ線における模式的な断面図である。図７ないし図９で示すように、収納部８は、例えば、襠部４の上面に開口した小物類の出し入れ口９と、襠部４の上面内側に垂設され、前記出し入れ口９を介して外部と連通する軟質材料（布、軟質の合成樹脂等）からなる袋体とを備え、前記出し入れ口９はファスナー１１によって開閉自在となっている。なお、前記収納部８は、通常は図３で示すようにファスナー７を閉止して襠部４を収縮させることにより外部から見えないように覆い隠されており、必要時に図８，９で示すようにファスナー７を開放して襠部４を伸長させることにより外部からアクセス可能となる。また、出し入れ口９及び袋体１０の大きさとしては、箱体２及び蓋体３の大きさにもよるが、例えば、Ａ５横（縦１４８ｍｍ×横２１０ｍｍ）ないしＡ４横（縦２１０ｍｍ×横２９７ｍｍ）サイズ程度の大きさとする。Ａ５横サイズであれば携帯電話やコンパクトカメラ等を、Ａ４横サイズであればモバイルパソコンやタブレット端末等の比較的大きなものでも容易に出し入れ可能となる。
【００１７】
なお、図１において、１２は箱体２の背面に伸縮自在に設けた把手、１３は箱体２及び蓋体３の底面角部に取付けたキャスターであり、前記把手１２を持ってキャスター１３を回転させることによりスーツケース１を移動させる。１４は箱体２の他側面上部に設けたファスナー５のスライダー５ａ，５ａをロックするためのロック体である。
【００１８】
次に、本考案の作用について説明する。スーツケース１内に衣服等の荷物を収納したり、スーツケース１内から荷物を取り出したりする場合は、図１においてロック体１４によるファスナー５のスライダー５ａ，５ａのロックを解除した後、前記スライダー５ａ，５ａを互いに相反する方向へ移動させ、ファスナー５を開放することによりスーツケース１を開く。この際、襠部４の幅方向における他方端と箱体２の開口部端縁とが、図２で示すようにその一側面において接続体６を介して連結されているため、箱体２と蓋体３とが分離することはない。一方、荷物の出し入れが終了したら、スライダー５ａ，５ａを互いに相対する方向へ移動させ、ファスナー５を閉止することによりスーツケース１を閉鎖するとともに、図１で示すようにロック体１４によりスライダー５ａ，５ａをロックすることによりファスナー５を開閉不能にする。
【００１９】
また、収納部８に小物類を収納したり、収納部８から小物類を取り出したりする場合は、まず、スライダー７ａを図２における反時計方向へ移動させてファスナー７を開放することにより、収縮している襠部４を図５，６で示すように伸長させ、当該襠部４に設けた小物類の収納部８（出し入れ口９）を露出させる。つづいて、スライダー１１ａを図５の右下方向へ移動させてファスナー１１を開放し、当該ファスナー１１により閉鎖されている出し入れ口９を図７ないし図９で示すように開放する。これにより、襠部４内側に垂設された袋体１０は、出し入れ口９を介して外部と連通するので、当該袋体１０への小物類の収納や、袋体１０からの小物類の取り出しを、スーツケース１を開閉することなく容易に行うことができる。小物類の出し入れが終了したら、スライダー１１ａを図８における左上方向へ移動させてファスナー１１を閉止することにより、出し入れ口９を図５，６で示すように閉鎖するとともに、スライダー７ａを図５における時計方向へ移動させてファスナー７を閉止することにより、伸長している襠部４を図２，３で示すように収縮させ、当該襠部４に設けた小物類の出し入れ口９を外部から見えないように覆い隠す。
【００２０】
なお、小物類の出し入れに係わらず、ファスナー７を開放した状態で使用すれば、スーツケース１の幅寸法を襠部４の幅寸法分だけ伸長させ、収納量を増やした状態で使用することも可能である。
【００２１】
以上説明したように、本考案においては、硬質材料からなる箱体２と蓋体３との間に所定幅寸法の軟質材料からなる伸縮自在な襠部４を設けるとともに、この襠部４に小物類を収納するための収納部８を設けたので、前記収納部８は、箱体２または蓋体３に凹所を設ける等の特別な加工を行うことなく、簡易に設けることができる。しかも、箱体２または蓋体３に凹所を設ける必要がないため、スーツケース１の外観やデザイン性を損ねることもない。
【００２２】
また、収納部８は、襠部４に開閉可能に開口した小物類の出し入れ口９と、襠部４の内側に設けられ前記出し入れ口９を介して外部と連通可能とした袋体１０からなるので、前記収納部８はスーツケース１の外部に膨出させることなく設けることが可能となり、この結果、スーツケース１の外観やデザイン性を損ねることがない。しかも、出し入れ口９を開放することにより、襠部４の内側（即ち、スーツケース１の内側）に設けた袋体１０への小物類の収納や、袋体１０からの小物類の取り出しを容易に行うことができるので、小物類の出し入れに際してスーツケース１を開閉する必要が全くない。従って、人混みで小物類を出し入れするためにスーツケース１を開閉することによって通行の妨げとなったり、スーツケース１の中身を他人に見られたりするのを良好に防ぐことができる。
【００２３】
更に、襠部４はファスナー７の開閉操作により伸縮自在となっており、収納部８の不使用時には、前記ファスナー７を閉じて襠部４を収縮させることにより当該収納部８を覆い隠すようにしたので、スーツケース１の外観やデザイン性を損ねることがなく、また、収納部８は外部から見えないため、防犯上の利点も有する。しかも、ファスナー７を開放して襠部４を伸長した状態で使用すれば、当該襠部４の幅寸法分だけスーツケース１の収納量を増大させることができるという利点もある。
【００２４】
なお、本考案においては、蓋体３の開口部周縁に所定幅寸法の軟質材料からなる伸縮自在な襠部４の幅方向における一方端を固設するとともに、襠部４の幅方向における他方端を箱体２の開口部周縁にファスナー５を介して開閉自在に結合するようにした場合を一例として説明したが、前記とは逆に、襠部４の幅方向における一方端を箱体２の開口部周縁に固着するとともに、他方端を蓋体３の開口部周縁にファスナー５を介して開閉自在に結合するようにしてもよい。また、箱体２及び蓋体３双方の開口部周縁にそれぞれ襠部４の幅方向における一方端を固着するとともに、他方端同士をファスナー５を介して開閉自在に結合するようにしてもよい。この場合、収納部８を２ヶ所に増やすことが可能となるとともに、スーツケース１の収納量も増加させることが可能となるため、大変利便である。
【産業上の利用可能性】
【００２５】
本考案は、箱体及び蓋体の双方が硬質材料からなるスーツケースのみならず、箱体または蓋体のいずれか一方が硬質材料からなり、他方が軟質材料からなるスーツケースや、箱体及び蓋体の双方が軟質材料からなるスーツケースにおいても適用することが可能である。
【符号の説明】
【００２６】
１  スーツケース
２  箱体
３  蓋体
４  襠部
５  ファスナー
６  接続体
７  ファスナー
８  収納部
９  出し入れ口
１０  袋体
１１  ファスナー
【図１】
0003173906.tif 000003
【図２】
0003173906.tif 000004
【図３】
0003173906.tif 000005
【図４】
0003173906.tif 000006
【図５】
0003173906.tif 000007
【図６】
0003173906.tif 000008
【図７】
0003173906.tif 000009
【図８】
0003173906.tif 000010
【図９】
0003173906.tif 000011